(57)【要約】【課題】高い電磁遮蔽効果および冷却効果を得ることができるバッフル構造を提供する。【解決手段】情報処理装置１は、一側面が開いた筐体２によって覆われている。筐体２の、開いた一側面には、導電布４からなるバッフル３が、その外縁部において筐体２との間に隙間を生じさせることなく取り付けられている。【選択図】図２
2005284942.tif 000002
【特許請求の範囲】
【請求項１】
情報処理装置の外周の一部を、容易に変形可能であり、導電性を有する導電布によって該導電布の外縁部分に隙間を生じさせること無く開閉可能に覆ったバッフル構造。
【請求項２】
前記導電布の少なくとも一部が導電性ファスナーを介して開閉可能に取り付けられている、請求項１に記載のバッフル構造。
【請求項３】
前記情報処理装置の外周が、一側面が開いた筐体によって覆われており、該筐体の、開いた一側面が前記導電布によって覆われている、請求項１または２に記載のバッフル構造。
【請求項４】
請求項１から３のいずれか１項に記載のバッフル構造を備える情報処理装置。
【請求項５】
前記バッフル構造によって覆われた部分内に冷却風を流す装置が設けられている、請求項４に記載の情報処理装置。
【発明の詳細な説明】
【技術分野】
【０００１】
本発明は、情報処理装置の外周の一部を開閉可能に覆い、電磁波による情報処理装置への悪影響を防ぎ、また情報処理装置内の冷却風の漏れを防いで冷却効果を高める働きをするバッフル（塞ぎ板）の構造、およびそれを備える情報処理装置に関する。
【背景技術】
【０００２】
従来から、情報処理装置には、保守作業用に外周の一部を開閉可能に板金製のバッフルによって覆った構造を設けることが知られている。すなわち、ＥＭＩ（電磁波障害）対策、冷却性能の向上のために、情報処理装置の外周は、電磁波を遮蔽可能な部材によって覆うのが有利であり、これは、保守作業用に開く必要がある部分についても同様であるので、この部分は、導電性の板金によって覆われている。
【０００３】
図３に、従来のバッフル１３が取り付けられた情報処理装置１１の模式図を示す。情報処理装置１１は周囲を筐体１２によって覆われているが、カード交換などの保守作業を行なうことができるように、筐体１２の一側面は開いている。バッフル１３は、筐体１２の、開いた一面を覆うようにネジ１４によって取り付けられている。
【特許文献１】特許第３４１７５５９号明細書
【発明の開示】
【発明が解決しようとする課題】
【０００４】
しかしながら、従来のバッフル構造では、保守作業時にネジを外し、作業後は再びネジを取り付ける必要がある。これには非常に時間がかかり、作業効率向上の障害の一因となってしまう。また、筐体に板金製のバッフルをネジ止めして取り付けた構造では、筐体とバッフルとの間に隙間が生じがちであり、この隙間から電磁波、冷却風が漏れてしまい、電磁遮蔽効果、冷却効果の低下を招いてしまいがちである。これに対して、電磁波、冷却風の遮蔽性能を向上させるため、バッフルの外縁の、筐体との間にスポンジや導電性のバネを取り付ける対策が考えられるが、隙間無く覆うほどの効果を得るのは困難である。また、スポンジや導電性のバネを取り付けることによって十分な遮蔽効果を得るためには、これらを筐体とバッフルとの間で押し付けて保持する必要がある。そのためには、取り付け用のネジを増やす必要があり、ますます作業性の悪化を招いてしまう。
【０００５】
そこで、本発明の目的は、高い電磁遮蔽効果および冷却効果を得ることができ、また、保守作業の効率を向上させることができるバッフル構造およびそれを備える情報処理装置を提供することにある。
【課題を解決するための手段】
【０００６】
上述の目的を達成するため、本発明のバッフル構造は、情報処理装置の外周の一部を、容易に変形可能であり、導電性を有する導電布によって該導電布の外縁部分に隙間を生じさせること無く開閉可能に覆った構造であることを特徴とする。すなわち、導電布は容易に変形可能であるので、その外縁を、情報処理装置の外周を覆う筐体などとの間に隙間を生じさせることなく取り付けることができる。この際、導電布は導電性を有しているので、電磁波を遮蔽する。
【０００７】
導電布は、その少なくとも一部が導電性ファスナーを介して取り付けられた構造とするのが好ましい。それによって、導電性ファスナーを介して取り付けられた部分を容易に開閉可能とすることができる。この際、導電性ファスナーを用いることによって、取り付け部において電磁波が漏れるのを防ぐことができる。
【０００８】
情報処理装置は、特に、その外周が、一側面が開いた筐体によって覆われた構成であってよく、バッフル構造は、情報処理装置の筐体の、開いた一側面を導電布によって覆った構造であってよい。情報処理装置の筐体を、一側面が開いた構造とし、この一側面を導電布によって開閉可能とすることによって、保守作業時に広い領域を介して情報処理装置内にアクセスできるようにし、作業をしやすくすることができる。そして、本発明のバッフル構造は、このような、板金製のバッフルでは隙間を生じさせることなく覆うのが困難な部分を、容易に、隙間を生じさせることなく覆うことができる。
【０００９】
本発明の情報処理装置は、上述のようなバッフル構造を備えることを特徴とする。この情報処理装置は、特に、バッフル構造によって覆われた部分内に冷却風を流す装置を有することができ、この場合、本発明のバッフル構造を用いることによって、冷却風がバッフル構造の部分で漏れるのを低減することができる。
【発明の効果】
【００１０】
本発明によれば、導電布を用いることによって、情報処理装置の、保守作業用に開閉可能になった部分を、容易に、隙間を生じさせることなく覆うことができ、それによって、高い電磁遮蔽効果および冷却効果を得ることができる。
【００１１】
特に、導電布の少なくとも一部を、導電性ファスナーを介して開閉可能に取り付けることによって、容易に開閉可能とすることができ、保守作業の効率を高めることができる。
【発明を実施するための最良の形態】
【００１２】
以下、図面を参照して本発明の実施の形態について説明する。
【００１３】
図１は、本発明の一実施形態の、バッフル３（図２参照）を取り付ける前の情報処理装置１の斜視図である。情報処理装置１は外周を、一側面が開いた筐体２によって覆われている。筐体２の開いた側面には、カードの取り付け部などが露出するようになっており、この側面から、カード交換などの保守作業を行なうことができるようになっている。また、詳細には示していないが、筐体２内には、一部の素子や部品が高温になって障害が発生するのを防ぐため、筐体２内に冷却風を流すための冷却ファンなどの装置が設けられている。
【００１４】
図２に、バッフル３を取り付けられた状態の情報処理装置１を示す。本実施形態において、バッフル３は、容易に変形可能であり、導電性を有する導電布４から構成されている。導電布４は、容易に変形可能であるので、接着などの公知の手法を用いて、容易に、導電布４の外縁部分と筐体２との間に隙間を生じさせること無く取り付けることができる。あるいは、筐体２に、導電布４の外縁部を挟み込む構造を設けて取り付けてもよい。いずれにしても、このようにして、バッフル３を構成する導電布４は、その外縁と筐体２との間に隙間を生じさせること無く取り付けられている。
【００１５】
導電布４の中央部分は、導電性ファスナー５によって周辺部分に取り付けられている。したがって、導電布４の中央部分を容易に開閉できるようになっている。
【００１６】
以上説明した本実施形態では、情報処理装置１の筐体２の、保守作業用に開いた側面は、バッフル３によって隙間を生じさせることなく覆われている。したがって、情報処理装置１内に流される冷却風が漏れるのを効果的に防ぐことができ、高い冷却効果を得ることができる。また、バッフル３を構成する導電布４は導電性を有しているので、これで覆うことによって電磁波も遮蔽することができる。この際、導電布４は、導電布４と筐体２の間に隙間が生じないように取り付けられているので、高い電磁遮蔽効果を得ることができる。
【００１７】
さらに、導電性ファスナー５を用いて、導電布４の中央部分を容易に開閉可能としているので、保守作業の効率を向上させることができる。この際、開閉に導電性ファスナー５を用いているので、導電布４の中央部分と周辺部分との接続部において電磁波が漏れることもない。
【００１８】
なお、本実施形態では、情報処理装置１の筐体２は、一側面の全体が開いた構成である例を示した。この構成は、保守作業を比較的広く開いた部分を介して行なうことができ、保守作業を容易にできるので好ましく、本実施形態のバッフル３は、このように、筐体２の一側面が開いており、板金製などの板によって隙間を生じさせることなく覆うのが困難な構成においても、開いている部分を、容易に、隙間を生じさせることなく覆うことができる。しかし、筐体２に、保守作業用の部分的な開口を設け、この開口を導電布４によって覆う構成としてもよい。
【図面の簡単な説明】
【００１９】
【図１】本発明の一実施形態のバッフルを取り付ける情報処理装置の斜視図である。
【図２】図１の情報処理装置にバッフルを取り付けた状態のものを示す図である。
【図３】従来例のバッフルが取り付けられた情報処理装置の斜視図である。
【符号の説明】
【００２０】
１，１１    情報処理装置
２，１２    筐体
３，１３    バッフル
４    導電性布
５    導電性ファスナー
１４    ネジ
【図１】
2005284942.tif 000003
【図２】
2005284942.tif 000004
【図３】
2005284942.tif 000005